(57)【特許請求の範囲】
【請求項１】
複数台の遊技機を列状に配した遊技機列の列端部にて設置される端部装置を囲い収容する遊技機列の端部外装ボックスであって、前記遊技機列の列端面側に固定手段を以て固定する背面フレームと、正面間口を空き間として残して側面を囲う左右の側壁部とを有し、前記左右の側壁部の少なくとも一方は２重扉構造の側面開きドアであり、この側面開きドアはその内側に化粧板が嵌って外開き可能の窓枠部とこの窓枠部に対し内開き可能のドアとを有して成ることを特徴とする遊技機列の端部外装ボックス。
【請求項２】
請求項１に記載の遊技機列の端部外装ボックスにおいて、前記窓枠部の内側にドア取っ手が設けられていることを特徴とする遊技機列の端部外装ボックス。
【請求項３】
請求項２に記載の遊技機列の端部外装ボックスにおいて、前記ドア取っ手に連動するドアロック機構を有して成ることを特徴とする遊技機列の端部外装ボックス。
【請求項４】
請求項３に記載の遊技機列の端部外装ボックスにおいて、前記ドアロック機構は、前記ドア取っ手のノブと連動して前記窓枠部の上端に突出して上下動可能な開き止め用出没ロッドを有して成ることを特徴とする遊技機列の端部外装ボックス。
【請求項５】
請求項１乃至請求項４のいずれか一項に記載の遊技機列の端部外装ボックスにおいて、前記背面フレームの上部から前方に張り出た屋根形のトップ部を有し、前記トップ部は、前記遊技機列の背合わせ２列に対応させて左右対称であってそれぞれ中央側から側端にかけて色分けされた透光性フードと、この透光性フード内で複数に仕切られた小部屋に前記遊技機列内のいずれかの遊技機の状況を表示する発光手段とを有して成ることを特徴とする遊技機列の端部外装ボックス。
【発明の詳細な説明】
【０００１】
【発明の属する技術分野】
本発明は、パチンコ島のような遊技機列の列端部において設置される島端両替機等の各種端部装置を囲い収容する遊技機列の端部外装ボックスに関する。
【０００２】
【従来の技術】
パチンコホール内には、図１１に示す如く、いわゆるパチンコ島と称されるように、背合わせ状態の２台のパチンコ機（パチンコ台）Ｐを複数個横並びで列状に配置したパチンコ機列Ａ1 〜Ａ4 （Ａ）が設置されている。このようなパチンコ機列Ａは一般に細長状のパチンコ台支持装置に複数台のパチンコ機Ｐを取付けた構成となっている。また隣接するパチンコ機Ｐ，Ｐの間には台間玉貸機Ｍが嵌め込まれている。そして、パチンコ機列Ａ毎の島端部（列端部）には、外観的体裁の向上及び端部の強度維持のために、端部隠し板（妻板）１が押し付けられてねじ止め固定されている。パチンコ機列Ａの多くは、近距離配置の利便性を配慮し、その端部隠し板１に遊技に関連する島端装置（端部装置）が押し当てられて設置されている。この島端装置としては、遊技者自身が高額紙幣を低額紙幣に又は紙幣を硬貨に両替するための島端両替機２，パチンコ機列Ａ3 の各台間玉貸機Ｍにて遊技者により投入された紙幣や硬貨を島端まで搬送して収納する島端貨幣収納庫３，遊技者が獲得したパチンコ玉を投入することにより自動計数したり、場合よってはその玉数表示をカード又はレシートにて発行するための島端玉計数機（島端交換機）４，紙幣又は硬貨の投入によりパチンコ玉を貸し出すための島端玉貸機（図示せず）などである。通常、島端両替機２はパチンコ機列Ａ4 の各台間玉貸機Ｍにて遊技者が投入した紙幣や硬貨を島端まで搬送して両替のストック貨幣として利用するようになっている。
【０００３】
【発明が解決しようとする課題】
しかしながら、折角、パチンコ機列Ａ1 〜Ａ4 の端部に化粧板としての端部隠し板１を取付けても、これに種々の機筐形体の島端装置を添わして付属設置している現状では、図１１に示す如く、パチンコ機列Ａ1 〜Ａ4 の整然さに比して、各島端の外観はそれぞれ全く異なった様相であり、まして、島端の脇を専ら通路として使用するパチンコホールにあっては、目に付き易い通路側の外観的体裁が雑然としすぎ、遊技者に与える印象を悪くしている。イメージアップを図るために、種々の島端装置の外観形体を統一（コーディネイト）することが考えられるが、島端装置の機筐は元々メーカー等により千差万別であるため、外観形体の規格統一は殆ど困難である。また統一した外観形体の両替機等は島端以外の場所に設置することができず、却って汎用性を狭めてしまう。
【０００４】
そこで、上記問題点に鑑み、本発明の課題は、各種端部装置自体の機筐形体を変更せずとも、遊技機列の列端部の外観的体裁を大幅に改善できる新規な遊技機列の端部外装ボックスを提供することにある。
【０００５】
【課題を解決するための手段】
上記課題を解決するために、本発明の講じた手段は、複数台の遊技機を列状に配した遊技機列の列端部の外観的体裁を高めるべく、列端部に設置される端部装置を囲い収容する遊技機列の端部外装ボックス（端部飾り装置）を採用するものである。即ち、本発明に係る端部外装ボックスは、遊技機列の列端面側にボルト締めや熔接等の固定手段を以て固定する背面フレームと、正面間口を空き間として残して側面を囲う左右の側壁部とを有して成ることを特徴とする。基本的には、ボックス底面部を具備しない方が良いが、具備していても構わない。
【０００６】
そして、本発明は、左右の側壁部（右側壁部，左側壁部）の少なくとも一方がそれ自身外開き可能の側面開きドアであることを特徴とする。又は、側壁部の少なくとも一方が外開き可能の側面開きドアとその框部材とを有して成る構成も採用できる。勿論、左右の側壁部の双方が開きドアであることが望ましい。
【０００７】
そして、側面開きドアは背面フレーム側に蝶番軸（ドア旋回軸）を有して成ることが望ましい。また、側面開きドアとしては、その内側に設けたドア取っ手に連動するドアロック機構を有して成る構成を採用できる。更に、上記収容した端部装置の正面外開きドアの開扉動作に連動してその蝶番軸側に位置する上記側面開きドアを開扉させる開扉連動手段を備えて成ることが望ましい。この端部装置としては、例えば貨幣回収式の両替機を挙げることができる。
【０００８】
また、上記背面フレームは上記端部装置の背面のガイド部に係合する位置決め用のガイド部を有して成ることが望ましい。
【０００９】
殊に、端部外装ボックスの飾り装置としての機能を高めるため、上記ボックス側壁部が電飾装置やパネル表示装置を具備していても良いが、当該遊技機列に関する情報を表示するための看板取付装置を有して成ることが望ましい。この看板取付装置としては、透光性看板が嵌まる看板窓枠部と、背面フレーム側に蝶番軸を具え、上記看板窓枠部内の透光性看板を裏面照明をする照明器付き開きドアとを有して成る２重扉構造を採用できる。
【００１０】
また更に、端部外装ボックスには背面フレームの上部から前方に張り出たトップ部を設けても良い。そのトップ部は、電飾装置やパネル表示装置を具備していても良いが、透光性フードと、その内部で当該遊技機列内のいずれかの遊技機の状況を表示する発光手段とを有して成る構成を採用できる。
【００１１】
そして、端部外装ボックスにおいては、空き間に立てる正面隠しドアを付属して成ることが望ましい。この正面隠しドアは、アコーデオンドア，折り畳みドアや嵌め殺しドアでも構わない。またトップ部内に収納可能な昇降式鎧板連鎖型引き戸などとすることができる。
【００１２】
なお、上記の端部外装ボックスの部分が列端の遊技機支持装置に外付けするのではなく、初めから一体ものとして付属したものでも構わない。
【００１３】
〔作用〕
このように、本発明に係る遊技機列の端部外装ボックスは、遊技機列の端部に設置される両替機等の端部装置を列端面に対面する正面空き間を残してその余を掩蔽する構造となっている。各種端部装置の外観形体が区々でも、端部外装ボックスで包み込むように収容された常態では、端部装置自体の側面や上面が端部外装ボックスで覆い隠されているため、端部装置の外観形体が外部からそっくり見えてしまうことがなく、端部装置の正面を含めて端部外装ボックスの外観だけを視認できるようになっている。このため、いずれの列端部においても設置された同形の端部外装ボックスで統一されることになるので、列端脇の通路の外観は、遊技機列の整然さと良く調和した整然さに醸し出され、遊技施設内の全体的外観のイメージアップを図ることができる。
【００１４】
端部外装ボックス自体の設置のため、ボックス正面の両脇に支柱を立てて支持するようにしても構わないが、支柱自体の存在感が強すぎる点，支柱が邪魔になる点，部品点数の増大に繋がるおそれがある点などで、端部外装ボックス自体の設置は、支柱無しのいわば壁掛け支持のように、主として背面フレームのボルト等の固定手段を介した遊技機列の列端面側（又は遊技機列支持装置の端面）の支持に依存している。支柱支持を排した方が端部外装ボックスを単独で自立設置せずに済み、端部外装ボックスの取付け・取外しの作業性が頗る簡単になる。
【００１５】
また、ボックス底面部を具備する場合には、フロア面との段差ができてしまうので、正面空き間を介して端部装置を端部外装ボックス内へ収容する作業や撤去する作業において、その段差のため作業性が悪いが、ボックス底面部を具備しない場合や、中抜きの左右の脚部（ベース）を具備する場合は、端部装置の出し入れの経路中に段差が横切らないので、端部装置の収容・撤去の作業性が向上する。
【００１６】
特に、本発明では左右の側壁部（右側壁部，左側壁部）の少なくとも一方がそれ自身外開き可能の側面開きドアか、又は外開き可能の側面開きドアとその框部材とを有する構成となっているため、この側面開きドアを開扉することにより正面の空き間に加えてドア開口部の分だけ開口部が広く確保されるので、端部装置の収容・撤去作業や収容された端部装置の修理・点検作業が行い易くなる。
【００１７】
これに加えて、側面開きドア自体が端部装置の側面を覆い隠するものであるので、その端部装置の機筐側面自体を初めから取付け不要とすることができる。これによれば、側面開きドアを開けると、端部装置の内蔵部材が直接露呈した状態になるので、端部装置の機筐側面の取外し・取付け作業が不要であり、従前に比して、修理・点検作業の容易化，迅速化を図ることができ、従って、遊技機列の稼働効率が高まる。
【００１８】
更に、この側面開きドアの蝶番軸が背面フレーム側に位置する場合は、ボックス正面側が一挙に広角で開口した状態になるので、上述の効果が一層顕著なものとなる。
【００１９】
ここで、側面開きドアの内側に設けたドア取っ手に連動するドアロック機構を有する場合、ドア取っ手のノブを操作すると、ドアロックを解除することができるので、そのままドア取っ手を押すことにより側面開きドアを外側に開くことができる。また、このドア取っ手は側面開きドアの内側に設けられているので、開きドアの外側面はデザイン形状がすっきりとなり、デザインの自由度が増す。
【００２０】
端部外装ボックスが開扉連動手段を具備する構成においては、収容された両替機等の端部装置の正面外開きドアを操作して開扉すると、これに連動して端部外装ボックスのうち正面外開きドアの蝶番軸側に位置する側面開きドアが自動的に開扉するため、端部装置の正面外開きドアの蝶番軸側のドア厚み代が端部外装ボックスの側面開きドアに当たり止めされてしまうことがなく、ドア同士の干渉がなく、端部装置の正面外開きドアを円滑に開扉することができる。従って、端部外装ボックスの間口をドア厚み代だけ広く確保しておく必要がなく、正面から見てドア厚み代に相当する空きスペースを無くすことができるので、端部外装ボックスの空き間にぴったりと端部装置を収容することができ、外観体裁が良くなる。
【００２１】
更に、端部外装ボックスの背面フレームが端部装置の背面のガイド部に係合する位置決め用のガイド部を有して成る場合、端部装置の収容設置作業において端部外装ボックスの正面空き間に端部装置の正面が左右ずれることなく首尾良く合わせることができ、端部装置の収容設置作業の容易化を図ることができる。
【００２２】
また、側壁部に看板取付装置を具備する構成において、例えば遊技機列の遊技機の機種名や愛称を表示した透光性看板を看板取付装置に取付けると、遊技者は通路上で各遊技機列の機種を視認できるので、遊技機の選択利便性を図ることができる。ここで、看板取付装置が、透光性看板が嵌まる看板窓枠部と、背面フレーム側に蝶番軸を具え、看板窓枠部内の透光性看板を裏面照明する照明器付き開きドアとを有して成る構成においては、看板の交換が容易であり、また照明看板であるが故に、装飾性が高まる。特に、外開き側面ドアに入れ子型に照明器付き開きドアを設けた２重扉構造では、端部外装ボックスに端部装置が既に収容された状態でも、遊技機列の機種交換（改装）等の際、外開き側面ドアを開扉した後、照明器付き開きドアを開扉すると、看板の交換をたやすく行うことができる。
【００２３】
また更に、トップ部が透光性フードと発光手段とを有して成る構成においては、遊技機列の端部に天蓋状のフード部があるが故に、外観体裁の向上に大いに繋がっている面があることに加え、発光手段の点滅等により状況表示の外、電飾効果を醸し出し、端部飾り装置として好適な形態になる。
【００２４】
遊技機列によっては、その列端部に端部装置を設置しない場合もあり、他の遊技機列の列端部と同様に、列端部の外観的統一性のため、端部外装ボックスを設置することを余儀無くされる。かかる場合、正面空き間から未収容状態の端部外装ボックスの中が丸見え状態となってしまい、いかにも体裁が悪い。そこで、正面隠しドアを空き間に立てて間口を塞ぐと端部外装ボックス内を完全に掩蔽することができる。正面隠しドアは端部外装ボックス内の空状態を外から見えなくさせるだけではなく、いわば物置としてホール内備品の収納部に使用することができる。
【００２５】
【発明の実施の形態】
次に、本発明の実施形態を添付図面に基づいて説明する。
【００２６】
図１は、本発明の実施形態に係る端部外装ボックスの設置態様を示す斜視図、図２は同端部外装ボックスを示す斜視図、図３は同端部外装ボックスに島端両替機を収容した状態を左側正面から見た斜視図、図４は同端部外装ボックスに島端両替機を収容した状態を右側正面から見た部分斜視図である。
【００２７】
本例の端部外装ボックス（端部飾り装置）１０は、複数台のパチンコ機Ｐを横並びで列状に配したパチンコ機列（パチンコ島）Ａの列端部にて設置される島端両替機２の端部装置を囲い収容するものである。この端部外装ボックス１０は、パチンコ機列Ａのパチンコ台支持装置を構成するスチール島枠５の列端面にボルト１１ａ等を以て固定する背面フレーム１１と、背面フレーム１１の上部から前方に張り出たトップ部１２と、正面間口を空き間Ｓとして残して側面を囲う右側面開きドア１３及び左側面開きドア１４と、中抜きの左右脚部（ベース）１５ａ，１５ｂとを有している。本例では、左右脚部１５ａ，１５ｂは右側面開きドア１３及び左側面開きドア１４に対する敷居幅木に相当しているが、これが無くても構わない。左右脚部１５ａ，１５ｂと背面フレーム１１とトップ部１２のトップフレーム１２ａとは熔接で固着されている。
【００２８】
本例で設置される島端両替機２はパチンコ機列Ａに投入された貨幣を回収して使用するための貨幣回収式の島端両替機であり、そのため、背面フレーム１１は、紙幣コンベアを通すための上部通路孔１１ｂと硬貨コンベアを通すための下部通路孔１１ｃとを有している。また、背面フレーム１１はパチンコ機列Ａと島端両替機２とをケーブルで接続するためのケーブル通し孔１１ｄとボルト１１ａを通すためのボルト通し孔１１ｅを有している。更に、背面フレーム１１は、島端両替機２の背面（内部パネル２ｂ）に形成されたガイド孔２ａに相対的に挿し込んで島端両替機２の取付け位置を位置決めするためのガイドピン１１ｆが植設されている。
【００２９】
右側面開きドア１３及び左側面開きドア１４の蝶番軸（ドア旋回軸）は背面フレーム１１側に位置している。右側面開きドア１３及び左側面開きドア１４のいずれも２重扉構造で、図５に示す如くの看板取付装置となっている。図５に示す看板取付装置は右側面開きドア１３に相当するものであり、看板取付装置は、パチンコ機列Ａのパチンコ機の機種名又は愛称（例えばＦＩＧＨＴＥＲ）を表示した透光性化粧看板Ｂが嵌まる看板窓枠部Ｃと、看板窓枠部Ｃ内の透光性化粧看板Ｂを裏面照明する照明器（直線状蛍光灯）Ｌの付いた開きドアＤとを有している。看板窓枠部Ｃは窓部Ｗの内側には看板縁受け部Ｅが形成されている。また、看板窓枠部Ｃの内側にはドア取っ手Ｋが設けられている。看板窓枠部Ｃの上端にはこのドア取っ手Ｋのノブ（図示せず）と連動して上下動可能の開き止め用出没ロッドＸが突出しており、ドアロック機構を有している。ドア取っ手Ｋのノブを押動すると、これに連動して開き止め（ロック）用出没ロッドＸが下動するので、ドア１３，１４の開き止めが解除される。そのままドア取っ手Ｋを押すことによりドア１３，１４を外側に開くことができる。また、このドア取っ手Ｋを左右側面開きドア１３，１４の外側ではなく内側に設けたことによって、開きドアの外側面はドア取っ手が邪魔にならず、デザイン形状がすっきりとしてデザインの自由度が増す。
【００３０】
トップ部１２は、トップフレーム１２ａ上に色分け透光性フード１２ｂを被せた構造となっており、色分け透光性フード１２ｂはパチンコ機列Ａの背合わせ２列に対応させて左右対称に色分けされている。即ち、中央側から側端にかけて赤色（Ｒ），黄色（Ｙ），緑色（Ｇ）に色分けされている。これら６つの色分け領域に対応して透光性フード１２ｂ内は６つの小部屋に仕切られており、各小部屋には図示しない電灯が設けられている。例えば、赤色の小部屋の電灯はパチンコ機列Ａにおいて遊技不正を検出したとき点灯表示し、黄色の小部屋の電灯はパチンコ機列Ａにおいて特賞又は大当たりが発生したとき点灯又は点滅表示し、緑色の小部屋の電灯はパチンコ機列Ａにおいて遊技者が店員を呼び出すための呼出ランプを点灯させたとき点灯表示する。いずれの場合も、通路上の店員に告知するためである。
【００３１】
図６は複数のパチンコ機列Ａ１〜Ａ４の列端部に端部外装ボックス１０を設置した状態を示す斜視図である。パチンコ機列Ａ4 の端部外装ボックス１０には島端両替機２が収容されている。パチンコ機列Ａ3 の端部外装ボックス１０にはモニター付き島端装置３０が収容されている。このモニター付きの島端装置３０は、図７に示す如く、島端収納庫３２が内蔵され、正面扉３３の上にパチンコ機列Ａ3 の各パチンコ機の数日前からの出玉状況の履歴等の情報を表示するためのモニター３４が設けられている。なお、島端玉係数機４の上にもモニター３４を設けた構成としても良い。パチンコ機列Ａ2 の端部外装ボックス１０には島端玉計数機（島端交換機）４が収容されている。更に、パチンコ機列Ａ1 の端部外装ボックス１０の間口には嵌め殺し型の正面隠しドア（シャッター）１８が立てられている。
【００３２】
図６に示すように、本例の端部外装ボックス１０は、パチンコ機列Ａ1 〜Ａ4 の端部に設置される島端両替機２，モニター付きの島端装置３０，島端玉計数機４の端部装置を列端面に対面する正面空き間を残してその余を掩蔽している。各種端部装置の外観形体が区々でも、端部外装ボックス１０で包み込むように収容した常態では、端部装置自体の側面や上面が端部外装ボックス１０で覆い隠されているため、端部装置の外観形体が外部からそっくり見えることがなく、端部装置の正面を含めて端部外装ボックス１０の外観だけが見える。このため、いずれの列端部においても設置された同形の端部外装ボックス１０…で統一されることになるので、列端脇の通路の外観は、パチンコ機列Ａ1 〜Ａ4 の整然さと良く調和した整然さに醸し出され、遊技施設内の全体的外観のイメージアップを図ることができる。なお、右側面開きドア１３，左側面開きドア１４が多少湾曲した外面輪郭を有していることも、島端の柔らかなイメージを醸し出している。
【００３３】
本例の端部外装ボックス１０においては、脚部１５ａ，１５ｂを有しているが、これは端部外装ボックス１０自体を主として支持するものではなく、側面開きドア１３，１４の敷居幅木として意義が強い。脚部１５ａ，１５ｂを無くした状態でも構わない。端部外装ボックス１０自体の設置は、支柱無しのいわば壁掛け支持のように、主として背面フレーム１１のボルト１１ａを介したパチンコ機列のスチール島枠５の列端面の支持に依存している。支柱支持を排した方が端部外装ボックスを単独で自立設置せずに済み、端部外装ボックスの取付け・取外しの作業性が頗る簡単になる。
【００３４】
本例では、敷居幅木としての脚部１５ａ，１５ｂの間は中抜きになっているため、端部装置の出し入れの経路中に段差が横切らないので、端部装置の収容・撤去の作業性が向上する。
【００３５】
本例においてはボックス側面が右側面開きドア１３，左側面開きドア１４となっており、開扉することで正面の空き間に加えてドア開口部の分だけ開口部が広く確保されるので、端部装置の収容・撤去作業や収容された端部装置の修理・点検作業が行い易くなる。特に、ボックス側面がドア枠である框部材も具備せず、ボックス側面がそっくり扉構造になっており、しかも蝶番軸（ドア旋回軸）が背面フレーム１１側に位置しているため、ボックス正面側を一挙に広角で開口した状態にすることができる。このような側面扉構造自体が端部装置の側面を覆い隠するものであるので、その端部装置の機筐側面自体を初めから取付け不要とすることができる。このため、図１に示すように、島端両替機２の機筐右側面は取り外されている。内蔵部品を搭載した内部パネル２ｂを端部外装ボックス１０の背面フレーム１１に取付けた後、島端両替機２の機筐を端部外装ボックス１０の背面フレーム１１に取付けることもでき、また島端両替機２の修理・点検の際にはボックス側面が右側面開きドア１３を開くだけで島端両替機２の内蔵部品にアクセスできるため、従前に比して、修理・点検作業の容易化，迅速化を図ることができる。この結果、パチンコ機列の稼働効率が高まる。
【００３６】
図１及び図２に示すように、端部外装ボックス１０の背面フレーム１１にはガイドピン１１ｆが起立しているため、島端両替機２の内部パネル２ｂ（背面）のガイド孔２ａに嵌めると、端部外装ボックス１０の正面空き間に島端両替機２の正面が左右ずれることなく首尾良く合わせることができ、島端両替機２の収容設置作業の容易化を図ることができる。
【００３７】
また本例では、側面開きドア１３，１４に透光性化粧看板Ｂが取付けられるようになっているため、遊技者は通路上で各パチンコ機Ａ1 〜Ａ4 機種名等を視認できるので、遊技機の選択利便性を図ることができる。特に、側面開きドア１３，１４が２重扉構造であるため、透光性化粧看板Ｂの交換が容易となっている。
【００３８】
なお、透過照明看板であるため、端部外装ボックス１０の装飾性が高まる。
【００３９】
本例におけるトップ部１２は屋根形の透光性フード１２ｂとその内部で当該遊技機列内のいずれかの遊技機の状況を表示する電灯とを有して成り、電飾効果を醸し出し、端部飾り装置として好適な形態となっている。このトップ部１２には、屋根形に限らず、例えば、塔状にそびえ立つ形体や動物形装飾等の各種のデザインを凝らすことができる。
【００４０】
パチンコ機列Ａ1 の列端部の端部外装ボックス１０の間口は正面隠しドア１８で塞がれている。パチンコ機列Ａ1 の列端部は特に端部装置を設置しない場所であるが、他のパチンコ機列Ａ2 〜Ａ4 の列端部と同様に、列端部の外観的統一性のため、端部外装ボックス１０を設置することになる。かかる場合、空き間から未収容状態の端部外装ボックス１０の中が丸見え状態となってしまい、いかにも体裁が悪い。そこで、正面隠しドア１８を空き間に立てて間口を塞ぐと端部外装ボックス１０内を完全に掩蔽することができる。正面隠しドア１８は端部外装ボックス１０内の空状態を外から見えなくさせるだけではなく、端部外装ボックス１０をいわば物置としてホール内備品の収納部に使用することができる。
【００４１】
ところで、本例における島端両替機２は貨幣の出し入れや修理・点検のために正面開きドア２ｃを有している。図８（ａ）に示す如く、端部外装ボックス１０の空き間にぴったりと島端両替機２を入れた状態では、島端両替機２の正面開きドア２ｃを開こうとしても、その蝶番軸ｈ１側のドア厚み代部分Ｚが端部外装ボックス１０の左側面開きドア１４に当たり止めされてしまい、正面開きドア２ｃは開かない。そこで、図８（ｂ）に示す如く、ドア厚み代に略相当する余裕スペースＴを空けた間口の広い端部外装ボックス１に島端両替機２を収容しなければならないが、端部外装ボックス１を正面から見ると、常態では余裕スペースＴが空いたままであるので、端部外装ボックス１０としての体裁がなおも良くない。
【００４２】
そこで、本例においては、図９に示すような開扉連動機構が設けられている。
【００４３】
即ち、この開扉連動機構はパンタグラフ機構（平行クランク機構）であり、左側面開きドア１４と一体に取付けられ蝶番軸ｈ２の周りに旋回する従動梃５１と、正面開きドア２ｃの蝶番軸ｈ１の近傍に設けられたピン５２と従動梃５１の先端のピン５３とを連接するコンロッド５４とから成る。図９（ｂ）に示すように、正面開きドア２ｃを開くと、コンロッド５４が前方に引かれるため、従動梃５１が図示矢印方向に回されるので、左側面開きドア１４が追従して開く。従って、正面外開きドア２ｃの蝶番軸ｈ１側のドア厚み代が端部外装ボックス１０の左側面開きドア１４に当たり止めされてしまうことがなく、正面外開きドア２ｃを円滑に開扉することができる。このため、図８（ｂ）に示す如くの空きスペースＴを無くすことができるので、外観体裁が良くなる。
【００４４】
上記実施例では、図１に示すように、パチンコ機列Ａのパチンコ台支持装置を構成するスチール島枠５の列端面に端部外装ボックス１０を取付けてあるが、図１０に示す如く、パチンコ台支持装置を構成する木製島枠６の列端面に端部外装ボックス１０を取付けても良い。
【００４５】
また、本例の端部外装ボックス１０は、パチンコ機列Ａの端部に設置する場合に限らず、メダル遊技機等の各種遊技機列の端部に設置することができる。
【００４６】
【発明の効果】
以上説明したように、本発明に係る端部外装ボックスは、遊技機列の端部に設置される両替機等の端部装置を列端面に対面する正面空き間を残してその余を掩蔽する構造となっている。従って、次のような効果を奏する。
【００４７】
▲１▼  各種端部装置の外観形体が区々でも、端部外装ボックスで包み込むように収容した常態では、端部装置自体の側面や上面が端部外装ボックスで覆い隠されているため、列端脇の通路の外観は、整然さが醸し出され、遊技施設内の全体的外観のイメージアップを図ることができる。これに加えて、端部外装ボックス自体の設置が、支柱無しのいわば壁掛け支持のように、主として背面フレームの固定手段を介した遊技機列の列端面側の支持に依存しているため、端部外装ボックスの取付け・取外しの作業性が頗る簡単になる。
【００４８】
▲２▼  特に、本発明では右側壁部，左側壁部の少なくとも一方が扉構造になっているため、開扉することにより正面の空き間に加えてドア開口部の分だけ開口部が広く確保されるので、端部装置の収容・撤去作業や収容された端部装置の修理・点検作業が行い易くなる。框部材を持たない構造ではその効果は一層顕著である。これに加えて、側面開きドア自体が端部装置の側面を覆い隠するものであるので、その端部装置の機筐側面自体を初めから取付け不要とすることができる。従前に比して、修理・点検作業の容易化，迅速化を図ることができ、従って、遊技機列の稼働効率が高まる。
【００４９】
▲３▼  側面開きドアの蝶番軸が背面フレーム側に位置する場合は、ボックス正面側が一挙に広角で開口した状態になるので、上述の効果が一層顕著となる。
【００５０】
▲４▼  側面開きドアが内側に設けたドア取っ手に連動するドアロック機構を有する場合、ドア取っ手のノブを操作すると、ドアロックを解除することができ、そのままドア取っ手を押すことにより側面開きドアを外側に開くことができる。また、ドア取っ手は側面開きドアの内側に設けられているので、開きドアの外側面はデザインの自由度が増す。
【００５１】
▲５▼  端部外装ボックスが開扉連動手段を具備する構成においては、ドア同士の干渉がなく、端部装置の正面外開きドアを円滑に開扉することができるので、端部外装ボックスの間口をドア厚み代だけ広く確保しておく必要がなく、正面から見てドア厚み代に相当する空きスペースを無くすことができ、外観体裁が良くなる。
【００５２】
▲６▼  端部外装ボックスの背面フレームが端部装置の背面のガイド部に係合する位置決め用のガイド部を有して成る場合、端部装置の収容設置作業の容易化を図ることができる。
【００５３】
▲７▼  側壁部に看板取付装置を具備する構成においては、遊技機の選択利便性等を図ることができる。特に、２重扉構造の場合、看板の交換が容易である。
【００５４】
▲８▼  トップ部が、透光性フードと発光手段とを有して成る構成においては、遊技機列の端部に天蓋状のフード部があるが故に、外観体裁の向上に大いに繋がっている面があることに加え、発光手段の点滅等により状況表示の外、電飾効果を醸し出し、端部飾り装置として好適な形態になる。
【００５５】
▲９▼  正面隠しドアを付属している場合、正面隠しドアを空き間に立てて間口を塞ぐと端部外装ボックス内を完全に掩蔽することができる。正面隠しドアは端部外装ボックス内の空状態を外から見えなくさせるだけではなく、いわば物置としてホール内備品の収納部に使用することができる。
【図面の簡単な説明】
【図１】本発明の実施形態に係る端部外装ボックスのパチンコ島端部での設置態様を示す斜視図である。
【図２】同端部外装ボックスを示す斜視図である。
【図３】同端部外装ボックスに島端両替機を収容した状態を左側正面から見た斜視図である。
【図４】同端部外装ボックスに島端両替機を収容した状態を右側正面から見た部分斜視図である。
【図５】同端部外装ボックスの右側面開きドアの看板取付装置を示す斜視図である。
【図６】複数のパチンコ機列の列端部に同端部外装ボックスを設置した状態を示す斜視図である。
【図７】同端部外装ボックスにモニター付きの島端装置を収容した状態を右側正面から見た斜視図である。
【図８】（ａ）は収納した島端両替機の正面開きドアと同端部外装ボックスの左側面開きドアとの干渉を説明するための平面図、（ｂ）は同端部外装ボックスに余裕スペースを以て島端両替機を収容した状態を示す平面図である。
【図９】（ａ）は同端部外装ボックスの開扉連動機構を示す部分斜視図、（ｂ）は同端部外装ボックスに収容した島端両替機の正面開きドアの開扉に連動して左側面開きドアが開く状態を示す斜視図である。
【図１０】同端部外装ボックスをパチンコ台支持装置を構成する木製島枠の列端面に取り付ける状態を示す斜視図である。
【図１１】複数のパチンコ島の端部の従来の態様を示す斜視図である。
【符号の説明】
Ａ1 〜Ａ4 …パチンコ機列（パチンコ島）
Ｂ…透光性化粧看板
Ｃ…看板窓枠部
Ｄ…照明器付き開きドア
Ｗ…窓部
Ｅ…看板縁受け部
Ｈ…蝶番
Ｋ…ドア取っ手
Ｌ…照明器
Ｐ…パチンコ機
Ｍ…台間玉貸機
Ｓ…空き間
Ｔ…余裕スペース
Ｘ…開き止め用出没ロッド
Ｚ…厚み代部分
２…島端両替機
２ａ…ガイド孔
２ｂ…内部パネル
２ｃ…正面開きドア
４…島端玉計数機
５…スチール島枠
６…木製島枠
１０…端部外装ボックス（端部飾り装置）
１１…背面フレーム
１１ａ…ボルト
１１ｂ…上部通路孔
１１ｃ…下部通路孔
１１ｄ…ケーブル通し孔
１１ｅ…ボルト通し孔
１１ｆ…ガイドピン
１２…トップ部
１２ａ…トップフレーム
１２ｂ…色分け透光性フード
１３…右側面開きドア
１４…左側面開きドア
１５ａ，１５ｂ…脚部
１８…正面隠しドア（シャッター）
３０…モニター付き島端装置
３２…島端収納庫
３４…モニター
５１…従動梃
５２，５３…ピン
５４…コンロッド
ｈ１…正面開きドアの蝶番軸（ドア旋回軸）
ｈ２…左側面開きドアの蝶番軸（ドア旋回軸）。
【図１】
0004151080.tif 000002
【図２】
0004151080.tif 000003
【図３】
0004151080.tif 000004
【図４】
0004151080.tif 000005
【図５】
0004151080.tif 000006
【図６】
0004151080.tif 000007
【図７】
0004151080.tif 000008
【図８】
0004151080.tif 000009
【図９】
0004151080.tif 000010
【図１０】
0004151080.tif 000011
【図１１】
0004151080.tif 000012